(57)【要約】      （修正有）【課題】不慣れな操作者であっても適切に弁の開閉操作が行なえる弁の操作特性情報管理装置を提供する。【解決手段】弁の開閉操作特性情報を収集して管理する弁の操作特性情報管理装置で、操作具を介して操作される弁軸の回転方向、回転速度及び操作トルクを含む弁の操作特性を計測する操作特性計測処理部１４と、計測された操作特性情報を、データ入力部を介して入力処理する操作特性情報入力処理部２１Ａと、弁を個別に識別する識別情報及び操作内容を含む属性情報を入力処理する属性情報入力処理部２１Ｂと計測された操作特性情報に基づいて、操作対象弁の弁開度と回転速度または操作トルクとを関連付けた操作特性トレンド情報を生成するとともに、弁に操作特性トレンド情報を関連付けた履歴情報を生成する履歴情報生成処理部２１Ｃと、履歴情報生成処理部で生成された履歴情報を記録処理する記録処理部２１Ｆと、を備えている。【選択図】図３
2020008143.tif 000002
【特許請求の範囲】
【請求項１】
操作対象弁の開閉操作に伴って得られる操作特性情報を収集して管理する弁の操作特性情報管理装置であって、
前記操作対象弁を開閉操作する操作具に設けられ、前記操作具を介して操作される弁軸の回転方向、回転速度及び操作トルクを含む前記操作対象弁の操作特性を計測する操作特性計測処理部と、
前記操作特性計測処理部により計測された操作特性情報を、データ入力部を介して入力処理する操作特性情報入力処理部と、
前記操作対象弁を個別に識別する識別情報及び操作内容を含む属性情報を入力処理する属性情報入力処理部と、
前記操作具を介して操作される弁軸の回転方向、回転速度及び操作トルクが含まれる前記操作特性情報に基づいて、前記操作対象弁の弁開度と回転速度または操作トルクとを関連付けた操作特性トレンド情報を生成するとともに、前記操作対象弁に前記操作特性トレンド情報を関連付けた履歴情報を生成する履歴情報生成処理部と、
前記履歴情報生成処理部で生成された履歴情報を記録処理する記録処理部と、
を備えている弁の操作特性情報管理装置。
【請求項２】
前記操作特性情報入力処理部は、前記操作特性情報から前記操作具の断続的操作に伴う非操作時の情報を除去するフィルタ処理を実行するように構成されている請求項１記載の弁の操作特性情報管理装置。
【請求項３】
前記操作特性情報入力処理部は、前記フィルタ処理により欠落した情報を前後の操作特性情報に基づいて補間するように構成されている請求項２記載の弁の操作特性情報管理装置。
【請求項４】
前記操作特性情報入力処理部は、前記フィルタ処理により欠落した情報を内挿法または移動平均を用いて補間するように構成されている請求項３記載の弁の操作特性情報管理装置。
【請求項５】
前記属性情報入力処理部により入力処理される属性情報に前記操作対象弁の操作者を特定する操作者情報が含まれる請求項１から４の何れかに記載の弁の操作特性情報管理装置。
【請求項６】
前記属性情報入力処理部により入力処理される属性情報に操作目的情報が含まれる請求項１から５の何れかに記載の弁の操作特性情報管理装置。
【請求項７】
前記記録処理部は無線通信インタフェースを介して前記履歴データを操作特性情報管理用のデータベースサーバに記憶する請求項１から６の何れかに記載の弁の操作特性情報管理装置。
【請求項８】
データベースサーバは、管網マッピングシステムを構成するデータベースサーバである請求項７記載の弁の操作特性情報管理装置。
【発明の詳細な説明】
【技術分野】
【０００１】
本発明は、操作対象弁の開閉操作に伴って得られる操作特性情報を収集して管理する弁の操作特性情報管理装置に関する。
【背景技術】
【０００２】
上水道管路網には多くの手動式の仕切弁やバタフライ弁が組み込まれている。これらの弁は、管路網の維持管理のため、または緊急災害時の対処に重要な役割を担う。各弁は、例えば弁管理番号、品名、型式、呼び径、開閉方向、締切り回転数、締切りトルクなどの固有情報を有し、これらの固有情報はアクリル樹脂材、アルミニウム材またはラミネート処理された札に記載され、地上から見えるところに取り付けられている。
【０００３】
基本的に手動の仕切弁などは全閉または全開で使用されるので開度目盛りを設けていないのが一般的であるが、全閉状態であるのか全開状態であるのかが外観で判断できない場合には開度計を備える例も増えている。
【０００４】
配水管理や点検などを目的として地下に埋設された仕切弁やバタフライ弁を操作者が開閉操作する場合、地上のマンホールの操作口から各弁の開度目盛りや札に記載された情報を目視で確認する必要があるが、操作口からマンホール内部を覗いても、開度目盛りや札に泥などが付着して汚れていたり内部が暗かったりすると確認が困難な場合もあり、そのような場合に開閉方向を見誤ると開栓を意図しながら実際には閉栓方向に操作するといった誤操作につながる虞があった。
【０００５】
また、これらの弁は全閉状態で所定のシール面圧を発生させるために、所要の締切りトルクで締め付ける必要があるが、口径毎に異なる締切りトルクに応じて操作者が力の入れ具合を適切に調整するのは熟練を要し、小口径の弁であれば過大トルクが働いて弁を破損し、大口径の弁であれば過小トルクで締込み不足となり漏れが発生する虞があった。
【０００６】
特許文献１には、人間系による確認作業をサポートするツールまたはシステムを構築し、操作者の負荷の低減および弁開閉誤判定による不適合を防止し、定検作業の効率化と信頼性の向上を図ることを目的とする弁開閉監視装置が開示されている。
【０００７】
当該弁開閉監視装置は、手動弁のハンドル締め付けにより発生するトルク値を検知するトルク検知手段と、このトルク検知手段によって検知したトルク値に基づいて手動弁の開閉状態を判定する開閉判定手段と、開閉判定手段によって得られた開閉判定結果と開閉判定結果に基づく操作者に対する操作指示とを表示する表示手段などを備えている。
【０００８】
詳述すると、手動弁には弁識別のためのコード表が表示され、可搬型の弁開閉監視装置であるトルクレンチを接続するためのアダプタが設置されている。弁棒の上部に設置されたアダプタにトルクレンチを差し込んで手動弁を開閉操作するように構成され、コード表のコードを読み込むことにより予め操作すべき手動弁の締め付けトルク値を表示可能な携帯端末が利用される。トルクレンチから出力される操作時の締め付けトルク値が携帯端末により読み取られて、予め定められたトルク判定値と照合して全開あるいは全閉の判定が可能に構成されている。コード表としてＱＲコード（登録商標）のような二次元コード情報を付したコード表を好適に用いることができる。
【０００９】
特許文献２には、ＲＦＩＤ（Radio Frequency-Identification）タグを弁に配置し、弁の開閉操作とともに簡単に情報の追加や変更ができる開度検知機能を有する弁操作機が開示されている。
【００１０】
当該弁操作機は、非接触で情報の読み出し・書き込みが可能なＲＦＩＤタグを配置した弁の開閉操作を行う操作機で、シャフトの一端側に弁棒の操作キャップに嵌合するボス部を有し、シャフトの他端側に操作ハンドルを設け、ボス部にＲＦＩＤタグに近接して配置するアンテナを設け、シャフトの他端側にアンテナを通して情報の読み出し・書き込み操作を行う本体装置を設けている。
【００１１】
例えば地下に埋設された弁の弁棒の近傍にＲＦＩＤタグが配置され、このＲＦＩＤタグに弁の固有情報としての弁開度、開閉方向（操作に必要な弁棒の開閉方向）、回転数、締切りトルクなどの情報、並びに前後の管路情報や周辺の埋設物情報あるいは過去の作業履歴等がデータとして記録される。
【００１２】
地上から弁に向けて挿入した操作機のボス部が弁棒の操作キャップに嵌合されると、ＲＦＩＤタグに記録した情報がアンテナを通して本体装置へ読み出され、弁開度、開閉方向、回転数、締切りトルクなどの情報が本体装置の表示部に表示され、操作者が表示部に表示された情報を目視確認できるようになる。
【００１３】
操作者は表示部に表示された情報に基づく適切な判断の下で、操作ハンドルを回して弁棒を回転させて弁の開閉操作を行う。操作後は新しい弁開度データを本体装置からアンテナを通してＲＦＩＤタグに記録し、操作機を引き抜いて作業を完了する。
【先行技術文献】
【特許文献】
【００１４】
【特許文献１】特開平１０−２９９９４１号公報
【特許文献２】特開２００３−３５３８０号公報
【発明の概要】
【発明が解決しようとする課題】
【００１５】
上述した従来技術によれば、開閉操作に要する弁軸の回転数や、締切りトルクの仕様値を正確に把握することができるようになる。
しかし、開閉操作の過程における弁の開度に対応した適切な回転速度や操作トルクなど、開閉操作に伴う熟練者特有のノウハウを把握することができず、不慣れな操作者であっても適切な開閉操作を可能にするという観点で更なる改良の余地があった。
【００１６】
また、例えば赤水の発生を回避するなどの観点で前回の点検時と同様の操作を行ないたい場合に、不慣れな操作者では具体的な操作手順や操作条件が把握できず、都度対応せざるを得なかった。
【００１７】
さらに、前回の操作時から操作トルクが変化している場合には、弁棒の固着やネジ部の摩耗が懸念されるが、不慣れな操作者では明らかに操作が困難な状況になるまで異常に気付くことができないという問題もあった。
【００１８】
そのため、不慣れな操作者であっても適切に弁の開閉操作が行なえるような支援装置が望まれていた。
【００１９】
本発明の目的は、上述した問題に鑑み、不慣れな操作者であっても適切に弁の開閉操作が行なえる弁の操作特性情報管理装置を提供する点にある。
【課題を解決するための手段】
【００２０】
上述の目的を達成するため、本発明による弁の操作特性情報管理装置の第一の特徴構成は、特許請求の範囲の書類の請求項１に記載した通り、操作対象弁の開閉操作に伴って得られる操作特性情報を収集して管理する弁の操作特性情報管理装置であって、前記操作対象弁を開閉操作する操作具に設けられ、前記操作具を介して操作される弁軸の回転方向、回転速度及び操作トルクを含む前記操作対象弁の操作特性を計測する操作特性計測処理部と、前記操作特性計測処理部により計測された操作特性情報を、データ入力部を介して入力処理する操作特性情報入力処理部と、前記操作対象弁を個別に識別する識別情報及び操作内容を含む属性情報を入力処理する属性情報入力処理部と、前記操作具を介して操作される弁軸の回転方向、回転速度及び操作トルクが含まれる前記操作特性情報に基づいて、前記操作対象弁の弁開度と回転速度または操作トルクとを関連付けた操作特性トレンド情報を生成するとともに、前記操作対象弁に前記操作特性トレンド情報を関連付けた履歴情報を生成する履歴情報生成処理部と、前記履歴情報生成処理部で生成された履歴情報を記録処理する記録処理部と、を備えている点にある。
【００２１】
操作具を用いて操作対象弁を開閉操作する際に、操作具に備えた操作特性計測処理部によって弁軸の回転方向（弁の開閉方向）、回転速度及び操作トルクを含む操作対象弁の操作特性が計測され、計測された操作特性情報がデータ入力部を介して入力され操作特性情報入力処理部で処理される。属性情報入力処理部によって当該操作対象弁を個別に識別する識別情報及び操作内容を含む属性情報が入力される。履歴情報生成処理部によって、操作特性情報に基づいて操作対象弁の弁開度と回転速度または操作トルクとを関連付けた操作特性トレンド情報が生成されるとともに、当該操作特性トレンド情報に属性情報を関連付けた履歴情報が生成され、履歴情報生成処理部で生成された履歴情報が記録処理部によって記録処理される。このようにして記録された履歴情報が、熟練度の浅い操作者による弁の開閉操作時に教師データとして効果的に用いられるようになる。
【００２２】
同第二の特徴構成は、同請求項２に記載した通り、上述の第一の特徴構成に加えて、前記操作特性情報入力処理部は、前記操作特性情報から前記操作具の断続的操作に伴う非操作時の情報を除去するフィルタ処理を実行するように構成されている点にある。
【００２３】
操作特性情報として弁軸の回転方向、回転速度及び操作トルクが好適に用いられる。通常、操作者は操作具を介して弁軸を連続的に回転操作することは困難であり、例えば操作具のハンドル部を持ち替える際に、回転操作が一時的に停止する。そのような場合に、操作特性情報入力処理部によって実行されるフィルタ処理によって、操作具の断続的操作に伴う非操作時の情報がノイズとして操作特性情報から除去される。
【００２４】
同第三の特徴構成は、同請求項３に記載した通り、上述の第二の特徴構成に加えて、前記操作特性情報入力処理部は、前記フィルタ処理により欠落した情報を前後の操作特性情報に基づいて補間するように構成されている点にある。
【００２５】
フィルタ処理により欠落した情報を前後の操作特性情報に基づいて補間することにより連続データが得られる。
【００２６】
同第四の特徴構成は、同請求項４に記載した通り、上述の第三の特徴構成に加えて、前記操作特性情報入力処理部は、前記フィルタ処理により欠落した情報を内挿法または移動平均を用いて補間するように構成されている点にある。
【００２７】
内挿法または移動平均を用いて補間することにより精度の高い補間データが得られる。
【００２８】
同第五の特徴構成は、同請求項５に記載した通り、上述の第一から第四の何れかの特徴構成に加えて、前記属性情報入力処理部により入力処理される属性情報に前記操作対象弁の操作者を特定する操作者情報が含まれる点にある。
【００２９】
属性情報に操作対象弁の操作者を特定する操作者情報が含まれると、操作者情報に基づいて操作特性トレンド情報の信頼度が評価できる。例えば熟練度の高い操作者により操作された操作特性トレンド情報であれば、教師データとして信頼度が高いと評価できる。
【００３０】
同第六の特徴構成は、同請求項６に記載した通り、上述の第一から第五の何れかの特徴構成に加えて、前記属性情報入力処理部により入力処理される属性情報に操作目的情報が含まれる点にある。
【００３１】
操作対象弁が同一であっても点検や配水管理などの操作目的が異なると操作手順が異なり、それに対応して弁軸の回転方向、回転速度及び操作トルクを含む操作対象弁の操作特性情報が異なることになる。そのような場合でも、属性情報に含まれる操作目的情報に基づいて適切な操作特性情報を選択することができるようになる。
【００３２】
同第七の特徴構成は、同請求項７に記載した通り、上述の第一から第六の何れかの特徴構成に加えて、前記記録処理部は無線通信インタフェースを介して前記履歴データを操作特性情報管理用のデータベースサーバに記憶する点にある。
【００３３】
無線通信インタフェースを介して履歴データを操作特性情報管理用のデータベースサーバに記憶するように構成されているので、現場で操作された操作対象弁に対する履歴データがその場でデータベースサーバに記憶可能になり、作業性が向上する。
【００３４】
同第八の特徴構成は、同請求項８に記載した通り、上述の第七の特徴構成に加えて、データベースサーバは、管網マッピングシステムを構成するデータベースサーバである点にある。
【００３５】
管網マッピングシステムに備えたデータベースには、管や弁栓などの管網構成要素の布設位置、固有の識別情報、布設時期、仕様値が管理されており、そのようなデータベースに格納された操作基準特性情報や過去の操作時に履歴情報として記憶された操作特性情報を参照属性情報として用いることができるようになるので、弁を効率的に管理できるようになる。
【発明の効果】
【００３６】
以上説明した通り、本発明によれば、不慣れな操作者であっても適切に弁の開閉操作が行なえる弁の操作特性情報管理装置を提供することができるようになった。
【図面の簡単な説明】
【００３７】
【図１】弁の操作特性情報管理装置及び操作案内装置の説明図
【図２】（ａ），（ｂ）は操作対象弁の説明図
【図３】弁の操作特性情報管理装置及び操作案内装置の機能ブロック構成図
【図４】（ａ），（ｂ），（ｃ）は弁の操作案内装置の説明図
【図５】（ａ）は管内流れが有る場合に熟練者により操作された弁の操作特性の説明図、（ｂ）は管内流れが無い場合に熟練者により操作された弁の操作特性の説明図
【図６】（ａ）は未熟な操作者により操作された弁の操作特性の説明図、（ｂ）は熟練者により操作された弁の操作特性の説明図
【図７】弁の属性データ及び操作特性の履歴情報の説明図
【図８】フィルタ処理及び補間処理の説明図
【図９】フローチャート
【発明を実施するための最良の形態】
【００３８】
以下に、上水道管網設備に備えた手動弁を例にして、本発明の一例である弁の操作特性情報管理装置、及び、操作特性情報管理装置を利用した弁の操作案内装置が組み込まれた弁の操作支援システムを説明する。
【００３９】
図１には、弁の操作支援システム１の概略の構成が示され、図３には、弁の操作支援システム１の機能ブロック構成が示されている。当該操作支援システム１は、操作特性情報入力装置１０と、操作案内装置２０と、上水道の管網マッピングシステム１００を備えて構成されている。操作案内装置２０は、スマートフォンやタブレットなどの携帯型情報端末装置で構成されている。
【００４０】
操作特性情報入力装置１０と操作案内装置２０とが、例えば、Bluetooth（登録商標）のような近距離無線通信インタフェース（IEEE 802.15.1規格）を介して通信可能に接続され、操作案内装置２０と管網マッピングシステム１００とが携帯電話回線網やWi-Fi（登録商標）のような無線通信インタフェース（IEEE 802.11規格）などを介してインターネットに接続可能に構成されている。なお、これらの通信規格は例示であり、互いに通信可能に構成されていれば、これらの通信規格に限るものではない。
【００４１】
操作特性情報入力装置１０は上水道設備の配水管５０に組み込まれた操作対象弁４０を開閉操作する棒状の操作具１６に取付けられている。操作対象弁４０は、マンホール内に配置された仕切弁やバタフライ弁などの手動弁であり、地上からマンホール内に操作具１６を挿入して開閉操作するように構成されている。
【００４２】
図２（ａ）には、仕切弁の一例であるソフトシール弁４０Ａが示されている。ソフトシール弁４０Ａは、弁箱４１Ａに収容された弁体４２Ａを周囲にネジ部が形成された弁棒４３Ａの回転により昇降させることで弁体４２Ａが上方に移動した開放状態と弁体４２Ａが下方に移動した閉止状態とに切替える弁であり、弁体４２Ａが耐塩素性に優れたＥＰＤＭで構成され、高い止水効果が得られる弁である。ブッシュ４４Ａを介して上方に延出した弁棒４３Ａの上端側に略直方体形状のキャップ４５Ａが配されている。仕切弁としてソフトシール弁４０Ａ以外に弁体４２Ａが金属で構成されたメタルシール弁が用いられる場合もある。
【００４３】
図２（ｂ）には、バタフライ弁４０Ｂが示されている。バタフライ弁４０Ｂは、弁箱４１Ｂに収容された弁体４２Ｂを弁棒４３の回転により回転させることで弁体４２Ｂが水流に対して平行姿勢となる開放状態と弁体４２Ｂが水流に対して直交姿勢となる閉止状態とに切替える弁であり、水流に対する交差角度を調整することにより流量を調整可能な弁である。ブッシュ４４Ｂを介して上方に延出した弁棒４３Ｂの上端側に略直方体形状のキャップ４５Ｂが配されている。なお、ブッシュ４４Ｂを介して上方に延出した弁棒４３Ｂの上端側に減速ギヤ機構が介装され、減速ギヤ機構の入力軸側にキャップ４５Ｂが配される態様でもよい。何れの弁も弁棒４３Ａ，４３Ｂが弁軸となる。
【００４４】
図１に戻って説明を続ける。棒状体の操作具１６の下端部には操作対象弁４０（４０Ａ，４０Ｂ）のキャップ４５（４５Ａ，４５Ｂ）に嵌合するボス部１７が設けられ、上端部には開閉操作用のハンドル部１８が設けられている。ハンドル部１８の直下に位置センサ１１及びトルクセンサ１２が取り付けられ、その近傍に信号処理部１４が係止され、各センサ１１，１２と信号処理部１４とが信号線Ｓで接続されている。ボス部１７には、キャップ４５（４５Ａ，４５Ｂ）の外径より僅かに大きな内径の断面矩形の空洞が形成されている。
【００４５】
位置センサ１１として操作具１６の回転速度及び回転角度に応じた電気信号を出力するジャイロセンサまたはエンコーダが用いられ、トルクセンサ１２として操作具１６のトルクに応じたねじれ量を電圧に変換する歪みゲージが用いられている。
【００４６】
ボス部１７を操作対象弁４０のキャップ４５（４５Ａ，４５Ｂ）に嵌合させ、ハンドル部１８を把持して操作具１６をその軸心周りに回転させることにより操作対象弁４０が開閉操作され、その際にトルクセンサ１２によって弁軸のトルクが計測され、位置センサ１１によって弁軸の回転操作速度が計測される。
【００４７】
図３に示すように、操作特性情報入力装置１０は、操作具１６（図１参照）に組み込まれ、上述した位置センサ１１及びトルクセンサ１２、信号処理部１４、通信インタフェース１５を備えている。位置センサ１１及びトルクセンサ１２で検出された弁の操作特性を示す信号が信号処理部１４に入力され、必要に応じて信号処理部１４で信号の増幅処理、Ａ／Ｄ変換処理、数値演算処理が行なわれて操作特性情報が生成され、内部メモリに記憶される。内部メモリに記憶された操作特性情報は近距離無線通信用の通信インタフェース１５を介して所定のインタバルで操作案内装置２０に送信される。
【００４８】
操作案内装置２０は、ＣＰＵで構成される演算部２１、オペレーティングシステムやアプリケーションプログラム、各種のデータなどが格納されるフラッシュＲＯＭやワーキング領域として使用されるＲＡＭを備えた記憶部２２、タッチパネル式の表示部２３、音源モジュールや振動子（バイブレータ）を備えた報知部２４、操作特性情報入力装置１０との通信に用いられる第１通信インタフェース２５、管網マッピングシステム１００との通信に用いられる第２通信インタフェース２６などを備えている。
【００４９】
記憶部２２に格納された弁の操作支援のためのアプリケーションプログラムがＣＰＵで実行されることにより各種の機能ブロックを備えた演算部２１が具現化される。即ち、演算部２１には、操作特性情報入力処理部２１Ａ、属性情報入力処理部２１Ｂ、履歴情報生成処理部２１Ｃ、参照情報記憶処理部２１Ｄ、特性情報比較部（表示処理部）２１Ｅ、データ出力処理部２１Ｆの各種の機能ブロックが含まれる。これら機能ブロックの詳細は後述する。
【００５０】
管網マッピングシステム１００は、上水道設備の管路地図情報を管理する管網マッピング管理サーバ１１０と管網マッピングデータベース１２０を備えて構成されている。
【００５１】
管網マッピングデータベース１２０には、地中に埋設された各種の配水管や給水管などの布設ルートが地域ごとに区分けされて描画された複数の配管地図情報が格納されるとともに、配管地図を構成する各配水管、給水管、弁、栓などの部品を特定する部品情報が格納されている。配管地図情報は各布設ルートが部品単位で細分化され、対応する部品情報と関連付けされている。これらの部品情報は、布設時に各部品に付されたＱＲコード（登録商標）のようなコード情報を読み取るスキャナを介して自動入力されている。
【００５２】
部品情報は管や弁や栓などの種別ごとにテーブル化されており、部品毎にシリアル番号が付され、布設位置、布設年月日、属性情報が管理されている。属性情報には、管であれば呼び径、型式、管種、製造番号、製造年月日、製造工場などが含まれ、弁であれば呼び径、型式、弁種、製造番号、製造年月日、製造工場、手動弁であれば、全閉から全開に到る弁棒の回転数、開閉方向などが含まれる。
【００５３】
操作案内装置２０を用いて管網マッピング管理サーバ１１０にアクセスして特定の部品を検索する場合、例えば布設ルート上の特定の位置、例えば対応する部品のルート上の位置を指定することにより該当する管や弁が抽出でき、例えば部品のシリアル番号、布設位置、製造番号などの固有のデータで検索すれば、該当する管、弁、栓などの部品情報が抽出できる。
【００５４】
また、部品情報のうち、配水制御のために開閉操作する必要のある弁や、点検を要する弁などの配水状態を調整するための機能部品に関しては、属性情報として操作年月日、操作目的、操作状態、操作者を含む操作情報が付加され、後に詳述する操作特性情報が操作情報と関連付けられた履歴情報として格納されている。
【００５５】
図７には、管網マッピングデータベース１２０に記憶された弁の属性情報の構成及び弁の操作特性情報（履歴情報）の構成が示されている。管網マッピング情報で一意に特定されるシリアル番号、製造番号、埋設位置の何れかの属性情報に基づいて弁が一意に特定される。
【００５６】
操作情報には、操作年月日ごとに操作目的、操作状態、操作者、環境データ、操作特性情報リンクデータが設定されている。手動弁の場合、操作状態には全開、全閉または弁開度が含まれ、操作目的には定期点検作業、工事などに伴う止水調整作業や配水調整作業、管洗浄作業などが含まれる。
【００５７】
従って、操作履歴に含まれる最新の操作年月日に対応する操作状態により弁の最新の状態が把握できる。なお、操作者に替えてまたは操作者に付加して熟練度情報を設けてもよい。例えば初心者１から熟練者５までの５段階の熟練度情報を設定することができる。環境データには、管内流速、稼働年数などが含まれる。
【００５８】
また、管網マッピングデータベース１２０には、操作年月日ごとに操作時の操作特性情報が履歴情報として記憶され、操作履歴情報リンクデータに基づいて所望の操作特性情報が特定できるように構成されている。
【００５９】
操作目的に応じて上述した手動弁を操作する場合に、経験の少ない操作者であっても、熟練度の高い操作者と同程度の弁操作が可能なように、弁の操作案内装置２０が構築されている。即ち、弁の操作案内装置２０は、上述の操作具１６を用いて操作対象弁４０を開閉操作する操作者に操作案内情報を提示する装置であり、当該操作者に熟練度の高い操作者の操作案内情報を提示するように構成されている。
【００６０】
図３に示すように、操作案内装置２０は、操作具１６に備えたセンサ１１，１２により計測され、信号処理部１４で信号処理された操作特性情報を、データ入力部として機能する近距離無線通信用の第１通信インタフェース２５を介して入力処理する操作特性情報入力処理部２１Ａと、操作特性情報と対比する参照特性情報を記憶部２２に記憶処理する参照情報記憶処理部２１Ｄと、操作具１６の操作に伴ってデータ入力部２５から時系列で入力される操作特性情報に基づいて、参照特性情報と操作特性情報とを比較可能な特性情報比較部２１Ｅと、を備えている。そして、特性情報比較部２１Ｅには、参照特性情報と対比可能な操作特性情報のトレンドグラフを生成し、生成したトレンドグラフを表示部２３に表示処理する表示処理部が設けられている。
【００６１】
以下、図９に示すフローチャートを参照しつつ、弁の操作支援システムの支援手順を説明する。
操作者が操作案内装置２０のタッチパネル式の表示部２３をタッチ操作することにより、弁の操作支援のためのアプリケーションプログラムが起動されると、属性情報入力処理部２１Ｂが作動して計測準備処理が実行される（ステップＳ１）。
【００６２】
まず、第１通信インタフェース２５を介して操作特性情報入力装置１０と通信が行なわれ、表示部２３に表示されたセンサ選択画面を介して操作特性情報入力装置１０に備えたセンサ１１，１２が選択操作される。この状態で通信インタフェース１５を介して信号処理部１４と通信可能な状態になる（ステップＳ２）。
【００６３】
続いて作業日となる操作年月日の入力画面、操作者を特定するＩＤ情報入力画面が表示され、それらの入力が完了すると、操作対象弁の指定画面が表示される。操作対象弁を指定する態様として以下の態様の何れかが採用される。
【００６４】
図１に示すような弁４０に配置された二次元バーコード４２を操作案内装置２０の内蔵カメラで撮影することにより操作対象弁を指定するように構成する態様。
弁４０に予め設置されたＲＦＩＤタグ（特許文献２に記載されたようなＲＦＩＤタグである。）に書き込まれた弁の識別情報を含む情報を操作具１６に備えたアンテナを介して信号処理部１４が読み込み、操作案内装置２０に送信することで操作対象弁を指定するように構成する態様。
操作案内装置２０に組み込まれたＧＰＳ受信部によって検知された位置情報が第２通信インタフェース２６を介して管網マッピングシステム１００に送信され、管網マッピングシステム１００側で当該位置情報に最も近い位置に布設された弁を操作対象弁４０として特定して操作案内装置２０に送信することで操作対象弁を指定するように構成する態様である。
【００６５】
次に、操作対象弁４０に対する操作目的の選択画面が表示される。定期点検作業、工事などに伴う止水調整作業や配水調整作業、管洗浄作業などの選択肢が表示され、何れかをタッチ操作することにより操作目的が設定される（ステップＳ３）。
【００６６】
次に、参照情報記憶処理部２１Ｄが作動し、第２通信インタフェース２６を介して接続された管網マッピング管理サーバ１１０を経由して管網マッピングデータベース１２０に記憶された操作対象弁４０に対する操作基準特性情報または過去の操作時に履歴情報として記憶された操作特性情報を参照特性情報としてダウンロードして、記憶部２２に記憶する（ステップＳ４）。
【００６７】
以上の処理が終了すると、操作対象弁４０の操作に対する計測可能な状態に移行する。信号処理部１４は、通信インタフェース１５を介して操作案内装置２０から計測開始指令を受け取ると、予め設定された所定時間間隔（例えば数十ミリ秒間隔）で位置センサ１１及びトルクセンサ１２により検出された信号を入力して、信号値を時間情報とともに内蔵された記憶部に記憶する。そして、当該記憶部に記憶された時間情報と信号値から操作特性情報を算出する（ステップＳ５）。
【００６８】
位置センサ１１による信号値と時間情報から操作者のハンドル部１８の操作による操作具１６の回転速度つまり弁軸の回転操作速度の時系列的情報が得られ、回転操作速度を積分することにより弁軸の回転位置の時系列的情報が得られる。時間情報を介してトルクセンサ１２による信号値と位置センサ１１による信号値を対応付けることにより弁軸の回転位置に対応する操作具１６のトルクつまり弁軸のトルクの時系列的情報が求まる。これらの時系列情報が信号処理部１４の記憶部に記憶され、記憶部に記憶された時系列情報が通信インタフェース１５を介して操作案内装置２０に送信される。
【００６９】
操作特性情報入力処理部２１Ａは、第１通信インタフェース２５を介して入力されたこれらの時系列情報に含まれる回転位置情報の累積値から弁開度を算出し、操作特性情報として弁開度に対応付けた回転速度及びトルクを得る。即ち、先に図７で説明した弁の属性情報に含まれる回転数が全開から全閉までに要する弁軸の回転数となり、全開または全閉を基準に回転位置情報の累積値から求まる弁軸の回転数に基づいて０％（全閉）から１００％（全開）の間のその時点の弁開度が求まる（ステップＳ６）。
【００７０】
図５（ａ），（ｂ）には、操作特性情報入力処理部２１Ａにより処理された操作特性情報の一つである弁開度に対応するトルク特性が示されている。図５（ａ）は管内流速が２．０ｍ／ｓのとき（流れ有の場合）に、熟練度の高い操作者が操作具１６を操作した場合の特性であり、図５（ｂ）は管内流速が０．０ｍ／ｓのとき（流れ無の場合）に、熟練度の高い操作者が操作具１６を操作した場合の特性である。
【００７１】
図中、左端が全開位置、右端が全閉位置となる。実線で示す特性は全開位置から全閉位置に閉操作する際の弁開度に対応するトルク特性が示され、破線で示す特性は全閉位置から全開位置に開操作する際の弁開度に対応するトルク特性が示されている。
【００７２】
図５（ａ），（ｂ）から、操作者のハンドル部１８の操作に対応して、トルク特性が脈打っている様子が認められる。ハンドル部１８の操作停止時にはトルクが零となり、操作中にトルクが検出される。閉操作ではトルク値が正値となり、開操作ではトルク値が負値となるので、正負の符号で弁の操作方向とハンドル部１８の操作タイミングが判別できる。また、管内に水が流れる状態のときと、流れが無い状態のときとで弁体の受ける力が異なり、弁軸に作用するトルクが異なることが理解される。
【００７３】
この例では全閉時及び全開時の最大許容トルク（締切りトルク）は最大で１００Ｎ−ｍ程度に設定されている。従って、それ以上の大きな操作トルクで締め付けると弁が破損する虞がある。また、操作トルクが１００Ｎ−ｍより大きく下回ると漏れが生じる虞がある。操作者がこの様なトルク特性を目視しながら操作具１６を操作することにより、適切なトルクで締め付けることが可能になる。
【００７４】
図６（ａ），（ｂ）には、同様に操作特性情報入力処理部２１Ａにより処理された操作特性情報の一つである弁開度に対応するトルク特性が示されている。図６（ａ）は未熟な操作者が操作具１６を操作した場合の特性であり、図６（ｂ）は熟練度の高い操作者が操作具１６を操作した場合の特性である。
【００７５】
図６（ｂ）では、全閉時及び全開時の操作トルクがほぼ１００Ｎ−ｍ近傍に調整されるとともに、全閉と全開の中間の弁開度で操作トルクが２０〜３０Ｎ−ｍ程度で安定して操作されていることが判る。
【００７６】
これに対して、図６（ａ）では、全閉時の操作トルクが１００Ｎ−ｍより大きく下回り、漏れが発生する虞がある状態となり、全開時の操作トルクが１００Ｎ−ｍより大きく上回り、破損を招く虞がある状態となっていることが判る。さらに全閉と全開の中間の弁開度で操作トルクが大きく変動し、不安定に操作されていることが判る。弁開度が全閉位置近傍及び全開位置近傍を除く中間開度では、大きな操作トルクで操作することなく安定した一定の操作トルクで操作することが望まれる。
【００７７】
操作特性情報として、弁開度に対応するトルク特性のみならず、弁開度に対応する操作速度特性なども重要となる。弁開度が全閉位置近傍及び全開位置近傍では、操作速度を低下させて目標とする操作トルクになるように全開位置または全閉位置まで操作する必要があり、また全閉状態にある弁を開く際に、赤水の発生を回避するために緩やかに操作する必要もある。また、全閉位置近傍及び全開位置近傍を除く中間開度では、安定した一定のトルクでありながらも大きな操作速度で迅速に操作することで操作時間を短縮できるようになる。
【００７８】
図４（ａ），（ｂ），（ｃ）には、特性情報比較部２１Ｅに備えた表示処理部により表示部２３に表示処理された操作特性情報のトレンドグラフが示されている。トレンドグラフは、弁開度‐トルク特性と、弁開度‐操作速度特性で、参照特性情報が破線で示され、操作者による操作特性情報が実線で示されている。当該トレンドグラフによって時系列的に変化する弁開度に対するトルク特性や操作速度特性の傾向が把握できる。
【００７９】
弁開度に対する回転速度を示すトレンドグラフを目視した操作者は、操作特性情報が参照特性情報に沿うように操作具１６を操作することにより、例えば弁の全開位置または全閉位置の近傍とその中間領域での回転速度を調整することができるようになる。また、弁開度に対する操作トルクを示すトレンドグラフを目視した操作者は、開度に応じた適切な操作トルクで操作具１６を操作することができ、例えば全閉状態で所定のシール面圧を発生させるために適切な締切りトルクで締め付けることができるようになる。
【００８０】
要約すると、操作者が操作具１６を用いて弁４０を開閉操作する過程で操作具１６に備えたセンサ１１，１２により検出された弁４０の操作特性がデータ入力部２５を介して操作特性情報として操作案内装置２０に逐次入力され、操作特性情報入力処理部２１Ａによって入力処理される。
【００８１】
操作案内装置２０に備えた記憶部２２には、予め参照情報記憶処理部２１Ｄによって操作特性情報と対比する参照特性情報が記憶されている。データ入力部２５から時系列で入力される操作特性情報に基づいて表示処理部（特性情報比較部２１Ｅ）によって参照特性情報と対比可能な態様のトレンドグラフが生成され、当該トレンドグラフが表示部２３に表示される（ステップＳ６）。
【００８２】
例えば操作特性情報が参照特性情報と同等の値となるように、表示部に表示された当該トレンドグラフを確認しつつ操作具１６を操作すれば、熟練度が浅い操作者であっても参照特性情報に対応する操作特性で弁を開閉操作することができるようになる。参照特性情報が教師データとして機能するのである。
【００８３】
参照情報記憶処理部２１Ｄは、管網マッピング管理サーバ１１０を経由して管網マッピングデータベース１２０に記憶された操作対象弁４０に対する操作特性情報（履歴情報）を参照特性情報としてダウンロードする際に、履歴情報に含まれる熟練度情報に基づいて、熟練度が高い操作者により操作された履歴情報を前記参照特性情報として取得するように構成されている。従って、参照特性情報として操作対象弁に対する仕様値のような予め設定された操作基準特性情報や、過去の熟練者による操作特性情報を好適に用いることができる。
【００８４】
表示処理部（特性情報比較部２１Ｅ）は、操作特性情報が参照特性情報を基準に予め設定された許容範囲に維持されているか否かを監視し、操作特性情報が許容範囲を逸脱するとその旨を操作者に認知可能に通知する通知処理を実行することにより、操作者が操作状況を認知して操作具１６を用いた弁４０の開閉操作の程度をリアルタイムで調整することができるように構成されている（ステップＳ８，Ｓ９，Ｓ１０）。
【００８５】
通知処理とは、音響情報、振動情報または表示色情報の何れかまたは複数を用いて操作者に認知させる処理をいう。例えば、操作特性情報が許容範囲に収まっている場合と、僅かに逸脱した場合と、大きく逸脱した場合に応じて通知処理の態様を異ならせることができる。
【００８６】
操作特性情報が許容範囲に収まっている場合には無音、僅かに逸脱した場合には間欠音、大きく逸脱した場合には連続音とするような音響情報の態様を採用でき、操作特性情報が許容範囲に収まっている場合には無振動、僅かに逸脱した場合には間欠振動、大きく逸脱した場合には連続振動とするような振動情報の態様を採用でき、操作特性情報が許容範囲に収まっている場合には表示部２３に緑色表示、僅かに逸脱した場合には黄色表示、大きく逸脱した場合には赤色表示とするような表示色の態様を採用できる。
【００８７】
また、音響情報では音色や音量などを異ならせる態様を採用することができ、振動情報では振動振幅を異ならせる態様を採用することができ、各態様を組み合わせることも可能である。
【００８８】
図４（ａ）では、弁開度-トルク特性、弁開度-操作速度特性の双方が許容範囲に収まっており、表示部２３に表示された通知処理が緑色表示（図中、黒丸の内部に符号Ｇで示す）されている。
【００８９】
図４（ｂ）では、弁開度-トルク特性が許容範囲から僅かに逸脱した状態となり（図中、破線の丸印で囲まれた部分）、表示部２３に表示された通知処理が黄色表示（図中、黒丸の内部に符号Ｙで示す）に切り替わっている。
【００９０】
図４（ｃ）では、弁開度-トルク特性が許容範囲から大きく逸脱した状態となり（図中、破線の丸印で囲まれた部分）、表示部２３に表示された通知処理が赤色表示（図中、黒丸の内部に符号Ｒで示す）に切り替わっている。
【００９１】
このようにして、操作対象弁４０の開閉操作が行なわれる際に、どのように操作具１６を操作しても表示される操作特性情報が参照特性情報に沿わないような場合には、弁の異常と診断され（ステップＳ１１）、予め設定された異常状態処理が実行される（ステップＳ１２）。
【００９２】
例えば、弁開度‐操作速度特性が適正であるのにもかかわらず、弁開度‐トルク特性が参照特性情報から大きく逸脱するような場合であるとか、締切りトルクが参照特性情報の締切りトルクに届かない場合など、予め設定された異常条件を満たすような場合に、通知処理部によって異常と判断され、表示部２３にその旨の表示が行なわれる。操作者は、当該表示を確認すると、その旨を管理者に通報するとともに、応急処置として当該弁を開閉操作の初期状態に戻す。
【００９３】
操作特性情報入力処理部２１Ａは、図５，６に示すような操作特性情報から操作具１６の断続的操作に伴う非操作時の情報を除去するフィルタ処理を実行するように構成され、フィルタ処理により欠落した情報を前後の操作特性情報に基づいて補間するように構成されている。そのため、図４（ａ）から（ｃ）に示される弁開度-トルク特性が、図５，６で説明した弁開度-トルク特性の脈動特性と異なっている。
【００９４】
通常、操作者は操作具１６を介して弁軸を連続的に回転操作することは困難であり、例えば操作具１６のハンドル部１８を持ち替える際に、回転操作が一時的に停止する。そのような場合にフィルタ処理によって操作具１６の断続的操作に伴う非操作時の情報がノイズとして操作特性情報から除去され、フィルタ処理により欠落した情報が前後の操作特性情報に基づいて補間処理される。
【００９５】
フィルタ処理として、時系列データの微分値が所定の閾値を逸脱するデータを除去するような微分フィルタ処理を採用することができ、補間処理として、多項式補間やスプライン補間を用いた内挿法、欠落したデータの前後のデータの移動平均を用いて補間する線形補間法などを好適に用いることができる。
【００９６】
図８の上段には、時系列データである操作特性情報（破線で示されている）から微分フィルタ処理を行なって非操作時の情報が除去された操作特性情報（実線で示されている）が例示され、図８の下段には、フィルタ処理により欠落した操作特性情報が補間処理で補完された後の操作特性情報（実線で示されている）が例示されている。
【００９７】
参照情報記憶処理部２１Ｄについて補足する。
参照情報記憶処理部２１Ｄは、操作対象弁４０の操作基準特性情報や、過去の熟練者による操作特性情報を参照特性情報として採用するべく、通信ネットワークを介して接続された管網マッピングデータベース１２０に格納された弁の操作特性情報（履歴情報）から該当する操作特性情報をダウンロードする例を説明したが、図７に示すように、属性情報に含まれる操作履歴の操作特性情報リンクデータで関連付けられた任意の操作特性情報をダウンロード可能に構成されている。
【００９８】
操作対象弁が同一であっても点検や配水管理などの操作目的が異なると操作手順が異なり、それに対応して弁軸の回転方向、回転速度及び操作トルクを含む操作対象弁の操作特性情報が異なることになる。そのような場合でも、属性情報に含まれる操作目的情報（定期点検作業、工事などに伴う止水調整作業や配水調整作業、管洗浄作業など）に基づいて適切な操作特性情報を選択することができるようになる。
【００９９】
弁の型式が同一の操作対象弁に対する操作基準特性情報または過去の操作時に履歴情報として記憶された操作特性情報を参照特性情報として取得して、記憶部２２に記憶するように構成されていると、データベース１２０に記憶された操作対象弁と型式が同一の操作対象弁に対する操作基準特性情報または過去の操作時の操作特性情報を参照特性情報として好適に用いることができる。
【０１００】
例えば、操作対象弁の履歴情報に含まれる複数の操作特性情報に、所望の操作目的の操作特性情報があっても、所望の管内流速の操作特性情報が存在しない場合に、操作対象弁と型式が同一の操作対象弁の操作特性情報に所望の操作目的で所望の管内流速の操作特性情報が存在するような場合に、当該操作特性情報を参照特性情報として活用できる。
【０１０１】
参照情報記憶処理部２１Ｄは、履歴情報に含まれる環境情報（管内流速、稼働年数など）に基づいて、今回と同じ環境情報の履歴情報を参照特性情報として取得するように構成されている。今回と同じ環境情報の履歴情報を参照特性情報に用いることで、適切な操作対象弁を適切に開閉操作することができるようになる。
【０１０２】
参照情報記憶処理部２１Ｄは、履歴情報に含まれる環境情報に基づいて、今回の環境情報に近い環境情報の履歴情報を優先して参照特性情報として取得するように構成されていることが好ましい。今回と同じ環境情報の履歴情報が存在しない場合でも、今回の環境情報に近い環境情報の履歴情報を優先して参照特性情報に用いることで、適切な操作対象弁を適切に開閉操作することができるようになる。
【０１０３】
換言すると、参照情報記憶処理部２１Ｄは、管網マッピングデータベース１２０に格納された複数の弁の操作特性情報（履歴情報）のうち、操作対象弁の操作特性情報の中で今回の弁の開閉操作に対する条件と最も近い条件の操作特性情報を優先して選択し、今回の弁の開閉操作に対する条件の教師データとして採用可能な操作特性情報が存在しない場合には、他の弁の操作特性情報の中で今回の弁の開閉操作に対する条件と最も近い条件の操作特性情報を優先して選択するように構成されている。
【０１０４】
操作案内装置２０には、さらに操作特性情報入力処理部２１Ａにより入力処理された操作特性情報を操作特性履歴情報として、通信ネットワークを介して接続された管網マッピングデータベース１２０にアップロードするデータ出力処理部２１Ｆを備えている。
【０１０５】
操作特性情報入力処理部２１Ａにより入力処理された操作特性情報を操作特性履歴情報としてデータ出力処理部２１Ｆにより管網マッピングデータベース１２０にアップロードすることにより、次回の開閉操作時の参照属性情報として利用できるようになる（ステップＳ１３）。
【０１０６】
なお、管網マッピングデータベース１２０に替えて、専用の操作特性履歴情報データベースを構築してもよい。この場合にも。図７に示すような属性情報で管理すればよい。
【０１０７】
以下に、操作対象弁４０の開閉操作に伴って得られる操作特性情報を収集して管理する弁の操作特性情報管理装置について詳述する。操作特性情報管理装置は、弁の操作支援システム１に組み込まれており、上述した操作特性情報入力装置１０と、操作案内装置２０の各機能ブロックの一部で構成されている。
【０１０８】
具体的に、操作特性情報管理装置は、操作対象弁４０を開閉操作する操作具１６に設けられ、操作具１６を介して操作される弁軸の回転方向、回転速度及び操作トルクを含む操作対象弁４０の操作特性を計測する操作特性計測処理部１４と、操作特性計測処理部１４により計測された操作特性情報を、データ入力部２５を介して入力処理する操作特性情報入力処理部２１Ａと、操作対象弁４０を個別に識別する識別情報及び操作内容を含む属性情報を入力処理する属性情報入力処理部２１Ｂと、操作具１６を介して操作される弁軸の回転方向、回転速度及び操作トルクが含まれる操作特性情報に基づいて、操作対象弁４０の弁開度と回転速度または操作トルクとを関連付けた操作特性トレンド情報を生成するとともに、操作対象弁４０に操作特性トレンド情報を関連付けた履歴情報を生成する履歴情報生成処理部２１Ｃと、履歴情報生成処理部２１Ｃで生成された履歴情報を記録処理する記録処理部としてのデータ出力処理部２１Ｆと、を備えている。
【０１０９】
既に説明したように、属性情報入力処理部２１Ｂでは、操作対象弁４０の識別情報、操作年月日、操作者を特定するＩＤ情報、操作目的などの弁操作に関する属性情報が入力される。
【０１１０】
また、操作特性情報入力装置１０に組み込まれた信号処理部１４によって操作特性計測処理部が構成される。
【０１１１】
履歴情報生成処理部２１Ｃによって生成される操作特性トレンド情報は、図４（ａ），（ｂ），（ｃ）の弁開度‐トルク特性、弁開度‐操作速度特性において実線で示される情報であり、実質的には操作特性情報入力処理部２１Ａで入力され、フィルタ処理及び補間処理された操作特性情報である。
【０１１２】
履歴情報生成処理部２１Ｃは、操作対象弁４０に操作特性トレンド情報（操作特性情報）を関連付けた履歴情報、詳述すると、操作対象弁４０の識別情報、操作年月日、操作者を特定するＩＤ情報、操作目的などの弁操作に関する属性情報と操作特性トレンド情報とを関連付けた履歴情報を生成する。
【０１１３】
そして、履歴情報生成処理部２１Ｃで生成された履歴情報が、データ出力処理部２１Ｆによって第２通信インタフェース２６を介して管網マッピングデータベース１２０に格納される。
【０１１４】
このようにして記録された履歴情報が、上述した参照情報記憶処理部２１Ｄによって読み込まれ、熟練度の浅い操作者による弁の開閉操作時に教師データとして効果的に用いられるようになる。
【０１１５】
記録処理部がデータ出力処理部２１Ｆで構成される例を説明したが、記憶処理部が履歴情報を操作案内装置２０の記憶部２２に記憶するように構成されていてもよいし、記憶処理部が履歴情報を弁の管理専用のデータベースに送信するようなデータ出力処理部で構成されていてもよい。
【０１１６】
以下、別実施形態を説明する。
操作具１６に組み込まれる位置センサ１１として、ジャイロセンサやエンコーダ以外にホール素子など、操作具１６の回転速度または回転角度を検出可能な任意のセンサを用いることができる。
【０１１７】
弁に水流計を設置して管内の水流を検出するように構成し、当該水流計の出力を操作特性情報入力装置１０の信号処理部１４に入力するように構成し、全開時の管内流速を環境データとして取り込むように構成することができる。水流計として超音波方式の水流計を好適に用いることができる。
【０１１８】
上述した実施形態では、弁を開閉操作する操作具１６が棒状の操作具である場合を説明したが、操作具１６の形状は棒状に限るものではなく、弁棒を回転操作可能な操作具であればよい。
【０１１９】
上述した実施形態では、操作特性情報入力処理部２１Ａが操作案内装置２０に組み込まれた例を説明したが、操作特性情報入力処理部２１Ａが操作情報入力処理装置１０に組み込まれていてもよい。また、操作情報入力処理装置１０に組み込まれている信号処理部１４が操作案内装置２０に組み込まれていてもよい。
【０１２０】
操作情報入力処理装置１０及び操作案内装置２０の各機能ブロックの具体的な構成は本発明による作用効果を奏する範囲において適宜変更設計可能であることはいうまでもない。
【符号の説明】
【０１２１】
１：弁の操作支援システム
１０：操作特性情報入力装置
１１：位置センサ
１２：トルクセンサ
１４：信号処理部（操作特性情報計測処理部）
１５：通信インタフェース
２０：操作案内装置
２１：演算部
２１Ａ：操作特性情報入力処理部
２１Ｂ：属性情報入力処理部
２１Ｃ：履歴情報生成処理部
２１Ｄ：参照情報記憶処理部
２１Ｅ：特性情報比較部（表示処理部）
２１Ｆ：データ出力処理部
２２：記憶部
２３：表示部
２４：報知部
４０：操作対象弁
４０Ａ：ソフトシール弁
４５Ａ：キャップ
４０Ｂ：バタフライ弁
４５Ｂ：キャップ
５０：配水管
１００：管網マッピングシステム
１１０：管網マッピング管理サーバ
１２０：管網マッピングデータベース
【図１】
2020008143.tif 000003
【図２】
2020008143.tif 000004
【図３】
2020008143.tif 000005
【図４】
2020008143.tif 000006
【図５】
2020008143.tif 000007
【図６】
2020008143.tif 000008
【図７】
2020008143.tif 000009
【図８】
2020008143.tif 000010
【図９】
2020008143.tif 000011